(57)【特許請求の範囲】
【請求項１】
軸杆先部から軸杆基部へ曲成されたフック本体と、一対以上の第１、第２取着用体とからなり、かつ、第１、第２取着用体が、自由端側にフック本体側へ向けて屈曲した第１、第２取着端部を有しているものであり、上記軸杆基部には第１、第２取着用体が、その第１、第２軸承口に抜け止め状態にて嵌装されることにより回動自在であることを特徴とするフック。
【請求項２】
上記第１、第２取着端部に夫々第１、第２取着用孔が穿設されている請求項１記載のフック。
【請求項３】
軸杆先部から軸杆基部へ曲成されたフック本体と、一対以上の第１、第２取着用体とからなり、上記フック本体は一対の併設された第１、第２直杆部と、その夫々を連設する上位横向連杆部と下位横向フック連杆部とにより環状に形成され、上記第１、第２直杆部には、第１、第２取着用体が、その第１、第２軸承口に抜け止め状態にて嵌装されることにより回動自在であることを特徴とするフック。
【請求項４】
軸杆先部から軸杆基部へ曲成されたフック本体と、一対以上の第１、第２取着用体とからなり、上記フック本体は一対の併設された第１、第２直杆部と、その夫々を連設する上位渦巻横向連杆部と下位渦巻横向連杆部とにより環状に形成されると共に、上記した上位、下位渦巻横向連杆部には、外側から線条体等を装脱自在に係入載置可能とした夫々第１、第２係挿受承端部が形成されていることを特徴とするフック。
【発明の詳細な説明】
【０００１】
【発明の属する技術分野】
本発明は各種の壁面に取着することにより、衣服とか配線コードなどの各種物品を掛吊したり、配装させるために用いて好適なフックに関する。
【０００２】
【従来の技術】
周知の通り従来この種のフックは、図９と図１０によって例示されているように一枚の取着板ａの中央部に固設した軸承筒状部ｂには、曲成されたフック本体ｃにおける直交状の軸杆基部ｄを、回動自在なるよう嵌装したものであり、図中ｅは軸杆基部ｄの上端に固設した抜止頭部を示している。
従って、これを使用する際には、図１０に明示の通り、上記取着板ａを一平面である所望の壁面Ｗに当接した状態で、取着板ａの取着孔ｆから取着ビスｇを挿入螺回することによりフックを固定して、当該フック本体ｃに所要の物品を掛吊するようにしている。
【０００３】
従って上記在来のフックによるときは、段差をもった壁面に跨って取着板ａをビス止めするといったことが不能となり、それだけ活用範囲が制約されてしまい、さらに凹状であるコーナ（内コーナ）であるとか、逆に凸状であるコーナ（外コーナ）といった壁面に跨って取着板ａを取り付けることができないため、当該コーナにおける両壁面間における中央箇所などにフック本体ｃを配設したいといった要請に対して、これを実現することができず、またフック本体ｃ単にＪ字状に曲成されたものであることから、掛吊した物品が特に配線コードである場合等にあって、抜け落ちにより外れ易く、またフック本体の先端が突出状態であることから危険を伴うなどの欠陥を有している。
【０００４】
【発明が解決しようとする課題】
本発明は上記従来例の欠陥に鑑み検討されたもので、請求項１にあっては、これまでの既成観念を排し、フック本体に対して少なくとも一対の第１、第２取着用体を回動自在に被嵌する構成とすることで、当該第１、第２取着用体の開成角度を自由に調整可能となし、これにより内コーナや外コーナにおける両壁面に対して夫々第１、第２取着用体を、ビスや接着そして磁力などにより取着して、これまで不能とされた位置にフック本体を配装できるようにしようとするのが、その目的である。そして、上記した第１、第２取着用体を単なる平板等とするのではなく、夫々の自由端側にあって適切に屈曲した第１、第２取着端部を形成するようにし、これらを内、外コーナにおける各壁面に押当取着させようとすることで、請求項１の上記目的をより確実に達成できるようにしている。
【０００５】
請求項２は請求項１において、上記第１、第２取着用体の第１、第２取着端部に夫々第１、第２取着用孔が穿設されているから、これらを各壁面に押当取着させようとすることで、請求項１の上記目的をより確実に達成できるようにしている。
【０００６】
次に請求項３では、上記請求項１におけるフック本体を、一対の第１、第２直杆部と上位横向連杆部および下位横向フック連杆部とによって環状に形成するようにし、上記一対の第１、第２直杆部に夫々一対以上の第１、第２取着用体を回動自在なるよう被嵌することによって、前記した請求項１に係る目的を達成し得るだけでなく、フック本体が下位横向フック連杆部により幅広に形成されることで、掛吊物品を安定的に保持できるようにすると共に、フック本体における下位横向フック連杆部の先端部が尖鋭でないことから、危険性のないフックを提供可能としている。
【０００７】
さらに請求項４によるときは、上記した請求項３における構成と基本的には近似しているフック本体につき、その上位渦巻横向連杆部と下位渦巻横向連杆部とに、夫々配線コード等が係脱自在なるよう曲成された第１、第２係挿受承端部を渦巻状に形成し、これらの第１、第２係挿受承端部に当該配線コード等を係入載置可能なるよう構成することで、不本意な脱落の生じない掛装保持状態を確保しようとするのが、その付加的目的である。
【０００８】
【課題を解決するための手段】
本発明は、上記の目的を達成するため、請求項１にあっては軸杆先部から軸杆基部へ曲成されたフック本体と、一対以上の第１、第２取着用体とからなり、かつ、第１、第２取着用体が、自由端側にフック本体側へ向けて屈曲した第１、第２取着端部を有しているものであり、上記軸杆基部には第１、第２取着用体が、その第１、第２軸承口に抜け止め状態にて嵌装されることにより回動自在であることを特徴とする。
【０００９】
そして請求項２では、上記構成の請求項１において、第１、第２取着端部に夫々第１、第２取着用孔が穿設されていることをその内容としている。
【００１０】
さらに請求項３の場合は、軸杆先部から軸杆基部へ曲成されたフック本体と、一対以上の第１、第２取着用体とからなり、上記フック本体は一対の併設された第１、第２直杆部と、その夫々を連設する上位横向連杆部と下位横向フック連杆部とにより環状に形成され、上記第１、第２直杆部には、第１、第２取着用体が、その第１、第２軸承口に抜け止め状態にて嵌挿されることにより回動自在であることを特徴とする。
【００１１】
そして請求項４に係るフックにあっては、軸杆先部から軸杆基部へ曲成されたフック本体と、一対以上の第１、第２取着用体とからなり、上記フック本体は一対の併設された第１、第２直杆部と、その夫々を連設する上位渦巻横向連杆部と下位渦巻横向連杆部とにより環状に形成されると共に、上記した上位、下位渦巻横向連杆部には、外側から線条体等を装脱自在に係入載置可能とした夫々第１、第２係挿受承端部が形成されていることを特徴としている。
【００１２】
【発明の実施の形態】
本発明の請求項１に係るフックにつき、これを図１ないし図４を参照して説示すると、一つのフック本体１と図示例では一対の第１、第２取着用体２Ａ、２Ｂとからなり、フック本体１は軸杆先部１ａから軸杆基部１ｂへ図示例では略Ｕ字状に曲成することで、物品を掛装可能に形成されている。そして図示例では上記第１取着用体２Ａの一側にあって、切欠部２ａを挟んで上下に第１軸承口２ｂ、２ｂの開口された第１筒状部２ｃ、２ｃが突設されていると共に、第２取着用体２Ｂの一側中央部には第２軸承口２ｄの開口された第２筒状部２ｅが突設されている。
【００１３】
上記の切欠部２ａに第２筒状部２ｅを嵌装することで、夫々第１筒状部２ｃ、２ｃと第２筒状部２ｅとを同一軸心状態として、連装された第１軸承口２ｂ、２ｂと第２軸承口２ｄに、フック本体１の軸杆基部１ｂを回動自在なるよう嵌挿し、図示例では軸杆基部１ｂにおける上端部に抜け止め具１ｃが設けられている。ここで、上記した一対の第１、第２取着用体２Ａ、２Ｂは、単なる平板状のものを採択するようにしてもよいが、図示例では請求項２により明示した如く、その自由端側にあってフック本体１側へ屈曲させた第１、第２取着端部２ｆ、２ｇが形成されていると共に、夫々に第１、第２取着用孔２ｈ、２ｉが穿設された場合が示されている。
【００１４】
そこで図１（Ｃ）、図２そして図３を参照して、その使用例を説示すると、図１（Ａ）に示した状態の平面図である図２のようにして、壁面Ｗの一平面に取着して使用しようとするときは、もちろん取着ビス３ａ、３ｂを第１、第２取着用孔２ｈ、２ｉに挿通して壁面Ｗに対し、第１、第２取着用体２Ａ、２Ｂの第１、第２取着端部２ｆ、２ｇを押当取着すればよい。さらに図１（Ｃ）の如き内コーナにおける二つの壁面Ｗ１、Ｗ２に跨って取着することも、第１、第２取着用体２Ａ、２Ｂの開成角度を適切に回動調整することで、その第１、第２取着端部２ｆ、２ｇを当該壁面Ｗ１、Ｗ２に押当させ、この状態で上記と同要領にて取着ビス３ａ、３ｂの締着により固定することができ、かくして当該フック本体１を、内コーナ内にあって壁面Ｗ１、Ｗ２間の所望回動位置に指向させて使用することができる。
【００１５】
さらに図３は、外コーナにおける二つの壁面Ｗ３、Ｗ４に跨っても取着できることを示しており、前同様にして第１、第２取着端部２ｆ、２ｇを、夫々壁面Ｗ３、Ｗ４に押当して取着ビス３ａ、３ｂにより固定すれば、外コーナの角部近傍における軸杆基部１ｂを中心として、フック本体１が１８０度以上の広範囲にわたる回動を許容され、使い勝手のよいフックを提供し得ることになる。なお、上記の実施態様ではビス等による取着のみが開示されているが、もちろん接着手段とか磁力を利用した取り付けであってもよい。
【００１６】
次に請求項３に係るフックにつき、図４と図５を参照して以下説示すると、上記した請求項１と同じく軸杆先部１ａから軸杆基部１ｂへ曲成されたフック本体１と、一対以上の第１、第２取着用体２Ａ、２Ｂとからなり、軸杆基部１ｂには第１、第２取着用体２Ａ、２Ｂが、その第１、第２軸承口２ｂ、２ｄに抜け止め状態にて嵌挿されることにより回動自在であるが、上記のフック本体１の構成が前記したものと以下のように相違している。
すなわち、当該フック本体１は一対の離間併設された第１、第２直杆部１ｄ、１ｅと、その夫々を連設している上位横向連杆部１ｆと下位横向フック連杆部１ｇとによって所望形態の環状に形成されている。そして上記した第１、第２直杆部１ｄ、１ｅには、第１、第２取着用体２Ａ、２Ｂにあって図５に示す如く前同様にして貫設した第１、第２軸承口２ｂ、２ｄが、抜け止め状態にて嵌装されることにより、当該第１、第２取着用体２Ａ、２Ｂは回動自在である。
【００１７】
ここで上記の第１、第２軸承口２ｂ、２ｄは、図４（Ａ）と図５により理解される通り第１、第２取着用体２Ａ、２Ｂの内側端寄りにあって貫設され、その外側端寄りに取着ビス３ａ、３ｂ用の第１、第２取着用孔２ｈ、２ｉが開口されており、この場合にも図５にあって仮想線Ｒにより示される如く第１、第２取着用体２Ａ、２Ｂは回動自在であるから、これを前記と同じく各種の壁面ＷやＷ１、Ｗ２そしてＷ３、Ｗ４に対し確実に取着することが可能となる。ここで図４（Ｂ）により理解される通り、第１、第２取着用体２Ａ、２Ｂが、所定の高さ以上に昇動してしまわないように、前記の上位横向連杆部１ｆが、下位横向フック連杆部１ｇと同じ手前側へ傾曲されている。
【００１８】
さらに請求項４に係るフックにつき図６ないし図８によって詳記すると、この場合も請求項３と同様に、請求項１におけるフック本体１の構成が、請求項３の内容とも以下のように相違しており、特に配線コード等を掛吊するのに好適となっている。すなわち、ここでのフック本体１は、一対の併設された第１、第２直杆部１ｄ、１ｅと、その夫々を連設する上位渦巻横向連杆部１ｈと下位渦巻横向連杆部１ｉとにより、全体として環状に形成されていると共に、これらには外側から配線コード等の線条体Ｌ１、Ｌ２などを、装脱自在に嵌入載置可能とした夫々第１、第２係挿受承端部１ｊ、１ｋが形成されている。
【００１９】
そして図示例では図６（Ｂ）にあって、上位、下位渦巻横向連杆部１ｈ、１ｉが夫々逆巻き状態となっており、当該両者１ｈ、１ｉ間に離間形成された挿入口Ｇから線状体Ｌ１、Ｌ２を出入自在とし、前説した第１、第２係挿受承端部１ｊ、１ｋは上向きに開成されていると共に、その第１、第２端末部１ｍ、１ｎは外側に露出突出することなしに内心側に配装されているため、外力が付加されて線状体Ｌ１、Ｌ２が上向きに開口した第１、第２係挿受承端部１ｊ、１ｋから離脱してしまうことを防止することができ、さらに図示例の場合には下位渦巻横向連杆部１ｉにおける第２係挿受承端部１ｋの下側にあって、最下段受承端部１ｐが開設されていることから、線状体Ｌ２の不本意な脱落をここでも阻止し得ることになる。
【００２０】
また、前説の第１、第２直杆部１ｄ、１ｅに被嵌されている第１、第２取着用体２Ａ、２Ｂが、前説の場合と違って一対だけではなく、上下二対を具備させており、しかもその形態は端面が図７により明示の如く直角三角形状に形成されており、その一角隅部側にあって第１、第２軸承口２ｂ、２ｄが貫設されており、第１、第２斜辺面２ｊ、２ｋから、第１、第２底辺面２ｍ、２ｎに対して、第１、第２取着用孔２ｈ、２ｉが斜交状に貫設され、もちろん上記第１、第２底辺面２ｍ、２ｎが、壁面に押当することになる。
【００２１】
従って請求項４に係るフックにあっては図８に例示するような壁面に対する取着が可能となるが、以下に説示する如き取着態様は、前説の請求項３に係るフックの場合も同様である。すなわち、図７のように取着ビス３ａ、３ｂは、第１、第２取着用体２Ａ、２Ｂにおける第１、第２底辺面２ｍ、２ｎと斜交状に螺合締着されることとなるが、図８（Ａ）の如く平面状の壁面Ｗに取着したり、第１、第２取着用体２Ａ、２Ｂの適宜な回動調整によって同図（Ｂ）の通り外コーナの壁面Ｗ３、Ｗ４に取着することも、また同図（Ｃ）のように内コーナの壁面Ｗ１、Ｗ２にも労せずして取着でき、さらに同図（Ｄ）のように、内コーナと外コーナとの連続するといった段差面にあっても、外コーナの一壁面Ｗ３と、内コーナの一壁面Ｗ２とに跨って、第１、第２取着用体２Ａ、２Ｂを取着するといったことが可能となる。
【００２２】
【発明の効果】
本発明に係る請求項１のフックにあっては、フック本体に一対以上の第１、第２取着用体を回動自在に被嵌する構成としたことから第１、第２取着用体を回動させることで、凹凸のある各壁面に対して跨装状態の取着ができ、これまでの一平面における壁面にしか取着できなかったりフックに比し、需用者の希望を多角的に充足し得ることになり、使い勝手のよいフックを提供することができる。そして第１、第２取着用体を曲成して得た第１、第２取着端部を設定することで、さらに取着しやすいフックを得ることになる。
【００２３】
さらに請求項３のフックによるときは、そのフック本体を第１、第２直杆部および上位横向連杆部と下位横向フック連杆部とにより環状に構成するようにしたから、前記請求項１のフックと同等の効果を発揮するだけでなく広幅である下位横向フック連杆部に掛吊される物品の安定性が向上し、かつ人体に対する危険性をも改善することができる。
【００２４】
そして請求項４によるときは、フック本体を上位、下位渦巻横向連杆部を第１、第２直杆部に連設して環状とし、第１、第２係挿受承端部を内心側に形成したので、特に配線コードなどの線状体を掛装するのに至便となり、不本意な脱落を阻止し得ると共に、これまた危険性のないフックを提供することができる。
【図面の簡単な説明】
【図１】  本発明請求項１のフックを示すもので、（Ａ）は正面図、（Ｂ）は右側面図、（Ｃ）は内コーナ壁面における取着状態の一部切欠平面図である。
【図２】  図１のフックの平面状壁面における取着状態を示した平面図である。
【図３】  図１のフックの外コーナ壁面における取着状態を示した平面図である。
【図４】  本発明請求項３のフックを示すもので、（Ａ）は正面図、（Ｂ）は右側面図である。
【図５】  図４に示したフックの一部を切欠して示した平面図である。
【図６】  本発明請求項４のフックを示し、（Ａ）は正面図、（Ｂ）は右側面図である。
【図７】  図６に示したフックの平面図である。
【図８】  図６のフックの取着状態を示すもので、（Ａ）は平面状壁面に取着した状態の平面図、（Ｂ）は外コーナ壁面に取着した状態の平面図、（Ｃ）は内コーナ壁面に取着した状態の平面図、（Ｄ）は凹凸状壁面に取着した状態の平面図である。
【図９】  従来のフックを示した正面図である。
【図１０】  図９のフックを壁面に取着した状態の右側面図である。
【符号の説明】
１    フック本体
１ａ  軸杆先部
１ｂ  軸杆基部
１ｄ  第１直杆部
１ｅ  第２直杆部
１ｆ  上位横向連杆部
１ｇ  下位横向フック連杆部
１ｈ  上位渦巻横向連杆部
１ｉ  下位渦巻横向連杆部
１ｊ  第１係挿受承端部
１ｋ  第２係挿受承端部
２Ａ  第１取着用体
２Ｂ  第２取着用体
２ｂ  第１軸承口
２ｄ  第２軸承口
２ｆ  第１取着端部
２ｇ  第２取着端部
２ｈ  第１取着用孔
２ｉ  第２取着用孔
Ｌ１  線状体
Ｌ２  線状体
【図１】
0003779538.tif 000002
【図２】
0003779538.tif 000003
【図３】
0003779538.tif 000004
【図４】
0003779538.tif 000005
【図５】
0003779538.tif 000006
【図６】
0003779538.tif 000007
【図７】
0003779538.tif 000008
【図８】
0003779538.tif 000009
【図９】
0003779538.tif 000010
【図１０】
0003779538.tif 000011